(57)【要約】【課題】簡単な構成で視覚的に奥行き感を与える絵柄を有し、収容する商品のイメージを向上させ印象を強くすることができる包装用箱を提供する。【解決手段】一枚のブランクシートから一体的に打ち抜かれた箱体形成片から成り、互いに連接された側面１４，１６，１８，２０と、箱体形成片１２の組立状態で連接された側面で形成される一開口端部を閉鎖する上蓋片４０とを備える。箱体形成片１２の上蓋片４０と重ねられる絵柄印刷片５８を有し、絵柄印刷片５８には、任意の形状で描かれた第一絵柄６８が印刷されている。絵柄印刷片５８の表面側に重ねられた上蓋片４０には、箱体形成片１２の組立状態で第一絵柄６８と同形の第二絵柄７０が積層状態で互いに一致する位置に印刷されている。第二絵柄７０には、絵柄が除去され第一絵柄６８が見える複数の抜き部７２が所定のパターンで設けられ、抜き部７２を透過して絵柄印刷片５８の第一絵柄６８が視認される。【選択図】図１
2010235162.tif 000002
【特許請求の範囲】
【請求項１】
一枚のブランクシートから一体的に打ち抜かれた箱体形成片から成り、互いに連接された側面と、前記側面の１つに連接され前記箱体形成片の組立状態で連接された側面で形成される開口端部を閉鎖する蓋片とを備え、前記箱体形成片の一部分と重ねられる絵柄印刷片が設けられ、前記絵柄印刷片には、任意の形状で描かれた第一絵柄が印刷され、前記絵柄印刷片の表面側に重ねられた前記一部分には、前記箱体形成片の組立状態で前記第一絵柄と同形の第二絵柄が積層状態で互いに一致する位置に印刷され、前記第二絵柄には絵柄が除去され前記第一絵柄が見える複数の抜き部が所定のパターンで設けられ、前記抜き部を透過して前記絵柄印刷片の前記第一絵柄が視認され、前記絵柄印刷片の表面側に重ねられた前記一部分と前記絵柄印刷片との間に隙間が形成され、前記第二絵柄の前記抜き部から視認される前記第一絵柄は、前記第二絵柄と僅かにずれて視認されることを特徴とする包装用箱。
【請求項２】
透明な合成樹脂で作られた一枚のブランクシートから一体的に打ち抜かれた箱体形成片から成り、互いに連接された側面と、前記側面の１つに連接され前記箱体形成片の組立状態で連接された側面で形成される一開口端部を閉鎖する上蓋片と、前記側面又は前記上蓋片の少なくとも１つの部材の裏面側に重ねられた絵柄印刷片が設けられ、前記絵柄印刷片には、任意の形状で描かれた第一絵柄が印刷され、前記絵柄印刷片の表面側に重ねられた前記部材には、前記箱体形成片の組立状態で前記第一絵柄と同形の第二絵柄が重ねられて一致する位置に印刷され、前記第二絵柄には印刷のない複数の抜き部が所定のパターンで設けられ、前記抜き部から前記ブランクシートを透視して前記絵柄印刷片の前記第一絵柄が視認され、前記絵柄印刷片と前記絵柄印刷片の表面側に重ねられた前記部材との間に隙間が形成され、前記第二絵柄の前記抜き部から視認される前記第一絵柄は、前記第二絵柄と僅かにずれて視認されることを特徴とする包装用箱。
【請求項３】
前記第二絵柄は前記上蓋片に設けられ、前記絵柄印刷片は、前記上蓋片が設けられた側面以外の側面の前記上蓋片が閉鎖する開口端部から連続して設けられていることを特徴とする請求項２記載の包装用箱。
【請求項４】
前記抜き部は、一方向に長い一定幅のスリットが複数等間隔で並べられて設けられていることを特徴とする請求項２記載の包装用箱。
【発明の詳細な説明】
【技術分野】
【０００１】
この発明は、絵柄やその他装飾等の印刷が施された包装用箱に関する。
【背景技術】
【０００２】
従来、商品を包装して店頭に陳列する包装用箱には、一枚のブランクシートを打ち抜いて設けられた箱体形成片を組み立てて作られたものがある。また包装用箱の表面には、商品名や、商品の印象を強くするためのいろいろな絵柄が印刷されている。包装用箱の表面の絵柄は、商品のイメージを向上するために色や形状が工夫されている。例えば、包装用箱にエンボス加工を施して浮き出した感覚を付与したり、いわゆる３Ｄ印刷を施して立体的に見せる方法がある。
【０００３】
また特許文献１に開示されている商品の加飾方法は、モアレ模様状の３次元的な視覚効果を有するものであり、商品の外表面上に規則性を有する縞パターンを形成し、この商品を、透明な基材部分に規則的な縞パターンを形成した外装部材で外装したものである。商品と外装部材の両縞パターン間のずれによる光の干渉効果により、３次元的な視覚効果が現出されている。
【先行技術文献】
【特許文献】
【０００４】
【特許文献１】特開２００７−３９０４６号公報
【発明の概要】
【発明が解決しようとする課題】
【０００５】
上記背景技術のエンボス加工の場合、ブランクシートの素材が限定されＰＰシート等では浮き出しにくいものであった。３Ｄ印刷は、ブランクシートの両面に絵柄を印刷しなければならず、製造工程が複雑になるという問題がある。
【０００６】
特許文献１に開示されている商品の加飾方法は、商品の外表面に、外装部材のパターンと組み合わされるパターンを印刷しなければならず、商品に印刷する絵柄に制限があった。また、購入後に外装部材を破棄して商品単体で使用するときは、不要な絵柄となるおそれがある。
【０００７】
この発明は、上記背景技術の問題点に鑑みてなされたものであり、簡単な構成で視覚的に奥行き感を与える絵柄を有し、収容する商品のイメージを向上させ印象を強くすることができる包装用箱を提供することを目的とする。
【課題を解決するための手段】
【０００８】
本発明は、一枚のブランクシートから一体的に打ち抜かれた箱体形成片から成り、互いに連接された側面と、前記側面の１つに連接され前記箱体形成片の組立状態で連接された側面で形成される開口端部を閉鎖する蓋片とを備え、前記箱体形成片の一部分と重ねられる絵柄印刷片が設けられ、前記絵柄印刷片には、任意の形状で描かれた第一絵柄が印刷され、前記絵柄印刷片の表面側に重ねられた前記一部分には、前記箱体形成片の組立状態で前記第一絵柄と同形の第二絵柄が積層状態で互いに一致する位置に印刷され、前記第二絵柄には絵柄が除去され前記第一絵柄が見える複数の抜き部が所定のパターンで設けられ、前記抜き部を透過して前記絵柄印刷片の前記第一絵柄が視認され、前記絵柄印刷片の表面側に重ねられた前記一部分と前記絵柄印刷片との間に隙間が形成され、前記第二絵柄の前記抜き部から視認される前記第一絵柄は、前記第二絵柄と僅かにずれて視認される包装用箱である。
【０００９】
またこの発明は、透明な合成樹脂で作られた一枚のブランクシートから一体的に打ち抜かれた箱体形成片から成り、互いに連接された側面と、前記側面の１つに連接され前記箱体形成片の組立状態で連接された側面で形成される一開口端部を閉鎖する上蓋片と、前記側面又は前記上蓋片の少なくとも１つの部材の裏面側に重ねられた絵柄印刷片が設けられ、前記絵柄印刷片には、任意の形状で描かれた第一絵柄が印刷され、前記絵柄印刷片の表面側に重ねられた前記部材には、前記箱体形成片の組立状態で前記第一絵柄と同形の第二絵柄が重ねられて一致する位置に印刷され、前記第二絵柄には印刷のない複数の抜き部が所定のパターンで設けられ、前記抜き部から前記ブランクシートを透視して前記絵柄印刷片の前記第一絵柄が視認され、前記絵柄印刷片と前記絵柄印刷片の表面側に重ねられた前記部材との間に隙間が形成され、前記第二絵柄の前記抜き部から視認される前記第一絵柄は、前記第二絵柄と僅かにずれて視認される包装用箱である。
【００１０】
前記第二絵柄は前記上蓋片に設けられ、前記絵柄印刷片は、前記上蓋片が設けられた側面以外の側面の前記上蓋片が閉鎖する開口端部から連続して設けられているものである。前記抜き部は、一方向に長い一定幅のスリットが複数等間隔で並べられて設けられているものである。
前記抜き部の形状は、波形のスリットや、同心円のドーナツ状のスリット、ドット柄、ドット柄のネガ形状、放射状に設けられたスリット、矩形のドット柄等でもよい。
【発明の効果】
【００１１】
本発明の包装用箱は、簡単な製造工程で視覚的に３次元的な感覚を与える絵柄が設けられ、収容する商品のイメージを向上させ、消費者に強い印象を与えることができる。しかも、一枚の箱体形成片を組み立てて作られ、箱体形成片の片面のみに印刷するだけであり、コストが安価で使用しやすいものである。
【図面の簡単な説明】
【００１２】
【図１】この発明の一実施形態の包装用箱の上蓋片が開いた状態を示す斜視図（ａ）と、閉じた状態を示す斜視図（ｂ）である。
【図２】この実施形態の包装用箱の展開図である。
【図３】この実施形態の包装用箱の抜き部の変形例を示す斜視図である。
【発明を実施するための形態】
【００１３】
以下、この発明の実施形態について図面に基づいて説明する。図１、図２はこの発明の一実施形態を示すもので、この実施形態の包装用箱１０は、透明な合成樹脂で作られた一枚のブランクシートを打ち抜いて形成された箱体形成片１２を組み立てて設けられている。
【００１４】
図２は箱体形成片１２を表面から見た展開図であり、箱体形成片１２は、側面１４，１６，１８，２０が、互いに平行に連接して形成されている。側面１４，１６，１８，２０は、連接している幅方向が同じ長さであり、連接方向の長さは側面１６，２０が長くて互いにほぼ等しく、側面１４，１８は短くて互いにほぼ等しい。さらに、側面２０の側縁部には、包装用箱１０の組立状態で側面１４の表面に糊付けされる糊付片２２が設けられている。そして、側面１４，１６，１８，２０、糊付片２２は、各々折罫線２４，２６，２８，３０で区切られている。
【００１５】
側面１４において、側面同士の連接方向に対して直角方向の一端部には、台形状のフラップ３２が、折罫線３４で区切られて設けられている。側面１４の、折罫線３４と反対側の端部には、台形状のフラップ３６が、折罫線３８で区切られて設けられている。
【００１６】
側面１６の、側面１４の折罫線３４に隣接する端部には、矩形の上蓋片４０が、折罫線４２で区切られて設けられている。上蓋片４０の、折罫線４２と反対側の端部には、さらに差込片４４が折罫線４６で区切られて設けられている。側面１６の、折罫線４２と反対側の端部には、矩形の底蓋片４８が折罫線５０で区切られて設けられている。折罫線５０の中間には、折罫線５０に対して平行な切断線５２が設けられ、切断線５２は、底蓋片４８側へ僅かに移動して設けられ、切断線５２の両端部は折罫線５０側へ折り曲げられて連続している。切断線５２で囲まれた部分は、箱体形成片１２の組立状態で側面１６と面一に下方へ突出する脚部５３となる。底蓋片４８の、折罫線５０と反対側の端部には、さらに差込片５４が折罫線５６で区切られて設けられている。
【００１７】
側面１８の、側面１６の折罫線４２に隣接する端部には、上蓋片４０とほぼ同じ大きさの矩形の絵柄印刷片５８が折罫線６０で区切られて設けられている。側面１８の、折罫線６０と反対側の端部には、台形状のフラップ６２が折罫線６４で区切られて設けられている。
【００１８】
箱体形成片１２の、側面１４，１６，１８，２０、上蓋片４０、絵柄印刷片５８には、所定の絵柄が印刷されている。絵柄は、まず均一に全面に無地部６６が各部材に連続して設けられ、無地部６６の所定の位置に任意の絵柄が設けられている。絵柄印刷片５８には、無地部６６の中に、折罫線２８の延長上に位置する側縁部と折罫線６０で囲まれた角部に隣接して、第一絵柄６８が設けられている。第一絵柄６８は花のような図柄が設けられている。
【００１９】
上蓋片４０には、無地部６６の中に第二絵柄７０が設けられている。第二絵柄７０は、包装用箱１０の組立状態で絵柄印刷片５８の表面側に上蓋片４０が重ねられたときに第一絵柄６８と一致するものであり、第一絵柄６８と同形、同色であり、折罫線２６の延長上に位置する側縁部と折罫線４６で囲まれた角部に隣接して設けられている。上蓋片４０には、無地部６６と第二絵柄７０を印刷するインキが取り除かれた抜き部７２が一定のパターンで設けられている。抜き部７２は、折罫線４２に対してほぼ直角の方向に長い一定幅の矩形で形成されたスリットが、複数個互いに平行に等間隔で並べられて設けられている。抜き部７２は、ブランクシートを透視して反対側を視認することができる。
【００２０】
側面１４，１６，１８，２０には、それぞれ無地部６６の中に側面絵柄部７４が設けられている。側面１４の側面絵柄部７４は、折罫線２４と反対側の側縁部と折罫線３８の角部に連接している。側面１６、１８の側面絵柄部７４は、折罫線２６，５０，６４の交点を中心として設けられている。側面２０の側面絵柄部７４は、折罫線２８と反対側の側縁部と、側面１８の折罫線６４の延長上に位置する端部で囲まれた角部に隣接して設けられている。
【００２１】
次に、この実施形態の包装用箱１０の組立方法の一例について説明する。なお、ここでは図２が包装用箱１０の箱体形成片１２の表面を見たものであり、箱体形成片１２の表面が凸になる折り方を正折り、そして裏面が凸になる折方を逆折りと称する。
【００２２】
まず、糊付片２２の裏面に糊を塗布し、次に折罫線２４を正折りしさらに折罫線２８を正折りする。これにより側面１４の表面に糊付片２２の裏面が糊付けされる。これにより箱体形成片１２は折り畳み状態となり、この状態で出荷される。
【００２３】
次に商品を収容し包装する工場等において、折罫線２４，２６，２８，３０を各々９０°に正折りして四角形の箱体にする。次に、折罫線３８，６４でフラップ３６，６２を９０°に正折りし、その後、折罫線５０で底蓋片４８を９０°に正折りし、差込片５４を折罫線５６で正折りし、差込片５４を側面２０の裏面側に差し込んで係止し、底部が形成される。このとき、折罫線５０の中心部分は切断線５２で底蓋片４８から切り離されて脚部５３となり、側面１６の延長上に、下方に向かって突出し、反対側の側面２０の下端縁とにより箱体を支持する。
【００２４】
この後、商品を収納し、折罫線３４でフラップ３２を９０°に正折りし、次に折罫線６０で絵柄印刷片５８を９０°に正折りする。これで図１（ａ）に示す状態となる。次に、折罫線４２で上蓋片４０を９０°に正折りし、差込片４４を折罫線４６で正折りし、差込片４４を側面２０の裏面側に差し込んで係止し、開口部が閉鎖される。この状態で、上蓋片４０は絵柄印刷片５８に重ねられ、抜き部７２からブランクシートを透視して絵柄印刷片５８の第一絵柄６８が視認される。上蓋片４０は、ブランクシートの弾性によって僅かに弓なりに外側へ膨らみ、絵柄印刷片５８との間に隙間が形成され、抜き部７２から視認される第一絵柄６８は、第二絵柄７０と僅かにずれて視認され３次元的な感覚を与える。なお、側面１４，１６，１８，２０には、側面絵柄部７４が平面的に視認される。
【００２５】
この実施形態の包装用箱１０によれば、簡単な構造で視覚的に３次元的な感覚を与える絵柄が取り付けられ、商品のイメージを向上させ、消費者に強い印象を与えることができる。箱体形成片１２の互いに重なる部材を利用して立体的に見せることができ、箱体形成片１２のみで組み立てられ、ブランクシートの弾性を利用して上蓋片４０が外側に膨らむことを利用しているだけであり、構造が簡単でコストを抑えることができる。箱体形成片１２の片面にのみ印刷することで立体的に見せることができ、３Ｄ印刷やエンボス加工が不要であり、製造工程等を増やすことが無く、特別な装置が不要で、使用しやすいものである。また、収容する商品等に、立体的に見せるための絵柄を印刷する必要が無く、商品を自由なデザインで印刷することができる。
【００２６】
なお、この実施形態の抜き部７２の形状は、上記実施形態に限られず、自由に変更可能である。例えば、図３（ａ）は、波形のスリット状の抜き部７２が互いに平行にほぼ等間隔で設けられている。図３（ｂ）は、同心円のドーナツ状の抜き部７２であり、各抜き部７２の幅は一定であり、各抜き部７２の直径がほぼ一定の長さで大きくなるものである。図３（ｃ）は、ドット柄状に第二絵柄７０を残して、ドット柄のネガ形状に抜き部７２が設けられている。図３（ｄ）は、複数個の長丸が放射状に配置された形状に第二絵柄７０を残して、その周囲に抜き部７２が設けられている。図３（ｅ）は、複数個の矩形の抜き部７２が縦横に互いに等間隔に配置され、その周囲に第二絵柄７０が残されている。
【００２７】
また、各絵柄は、第二絵柄７０と抜き部７２が反対でも良い。さらに、抜き部７２の形状は、第一絵柄、第二絵柄の色や形状に合わせて、適宜設定し得るものである。
【００２８】
さらに、この発明の包装用箱は、上記実施形態に限定されるものではなく、各部材の形状は、自由に変更可能である。樹脂製の透明なシート以外に紙や合成紙製のシートを利用して抜き部を形成しても良く、抜き部を覆う透光性のフィルムやシートを重ねても良い。また、上蓋片に第二絵柄と抜き部が設けられているもの以外に、側面に第二絵柄と抜き部を設けこの側面の裏面側に絵柄印刷片を重ねて設けても良い。側面に重ねる絵柄印刷片は、中仕切り等の部材に第一絵柄を印刷することにより中仕切りと兼用としても良い。箱体と一体に設けられている二つ折りの吊下片に第一絵柄と第二絵柄、抜き部を設けても良い。また、絵柄の色や形状は自由にデザインすることができる。抜き部の数や形状も適宜変更可能であり、第一絵柄、第二絵柄の色や形状に合わせて、より効果的に立体的に見えるものを選択する。包装用箱の大きさや構造は、中に入れる商品等に合わせて適宜変更可能である。
【符号の説明】
【００２９】
１０  包装用箱
１２  箱体形成片
１４，１６，１８，２０  側面
２２  糊付片
４０  上蓋片
５８  絵柄印刷片
６６  無地部
６８  第一絵柄
７０  第二絵柄
７２  抜き部
【図１】
2010235162.tif 000003
【図２】
2010235162.tif 000004
【図３】
2010235162.tif 000005